(57)【要約】【課題】  複数の外部記録媒体に記録されている画像データを所望の順番で記録媒体へ書き込ませる。【解決手段】  画像データを記憶する取込画像記憶部１６１と、複数の記録媒体からそれぞれ複数の画像データの取り込みを行い、取込画像記憶部１６１に記憶する画像取込制御部１５１と、取り込んだ画像をモニタ１１に表示する表示制御部１５３と、操作部１２を介してモニタ１１に表示されている画像の処理順番が入力された場合、受け付けた処理順番を画像と関連付けて画像特性情報記憶部１６２に記憶する順番設定処理部１５７と、取込画像記部１６１に記憶されている画像データを設定された画像の処理順番に従って、ＣＤ等の記録媒体に書き込ませる書き込み制御部１５５とを備える。【選択図】      図２
2006053333.tif 000002
【特許請求の範囲】
【請求項１】
外部記録媒体から取り込んだ撮影に関する画像データを記録媒体へ記録する画像編集記録装置において、画像データを記憶する記憶手段と、複数の外部記録媒体からそれぞれ複数の画像データの取り込みを行い、前記記憶手段に記憶する画像取込手段と、取り込んだ画像をモニタに表示する表示制御手段と、外部からの指示を受け付けて前記モニタに表示されている画像の処理順番を設定し、表示中の各画像と対応付けて視認可能に表示させる順番設定手段と、前記記憶手段に記憶されている画像データを前記順番設定手段によって設定された順番に従って、前記記録媒体に書き込ませる書込制御手段とを備えたことを特徴とする画像編集記録装置。
【請求項２】
前記表示制御手段は、各外部記録媒体から取り込んだ画像を外部記録媒体毎に整列させて前記モニタに表示させるものであることを特徴とする請求項１記載の画像編集記録装置。
【請求項３】
前記モニタに表示中の画像を、複数の類に振り分ける指示を受け付けて、指定された類への振り分け処理を行なう分類受付手段を備え、
前記表示制御手段は、前記分類受付手段によって振り分けられた画像を類毎にモニタに表示するものであることを特徴とする請求項１または２記載の画像編集記録装置。
【請求項４】
前記表示制御手段は、モニタに表示されている各画像に対応して順番枠画像を表示する
ものであり、
前記順番設定手段は、モニタに表示されている画像を指定することで、該画像に対応す
る順番枠画像に指定順の連続番号を視認可能に表示させるものであることを特徴とする請
求項１〜３のいずれかに記載の画像編集記録装置。
【請求項５】
前記表示制御手段は、設定された順番に従ってモニタに表示される画像の並べ替えを行うものであることを特徴とする請求項１〜４のいずれかに記載の画像編集記録装置。
【請求項６】
前記順番設定手段は、順番が未設定の画像に対して、設定済みの画像に付された順番の続きであって、前記モニタに表示された表示順に従って順番を付与するものであることを特徴とする請求項１〜５のいずれかに記載の画像編集記録装置。
【請求項７】
前記書込制御手段は、順番が未設定の画像に対する前記記録媒体への書き込み動作を禁止するものであることを特徴とする請求項１〜５のいずれかに記載の画像編集記録装置。
【請求項８】
外部記録媒体が挿脱可能な挿入部と外部から操作可能にされて各種の指示を行う操作部とを有する請求項１〜７のいずれかに記載の画像編集記録装置と、前記挿入部に装填された外部記録媒体から取り込んだ画像をプリントするプリンタとを備えたことを特徴とする写真処理装置。
【請求項９】
外部記録媒体が挿脱可能な挿入部と外部から操作可能な各種指示を行う操作部とを有する請求項１〜７のいずれかに記載の画像編集記録装置と、前記挿入部に装填された外部記録媒体から取り込んだ画像のプリントに対する注文を受け付けるプリント注文受付手段とを備えたことを特徴とするプリント注文受付端末装置。
【発明の詳細な説明】
【技術分野】
【０００１】
本発明は、外部記録媒体から取り込んだ撮影に関する画像データをＣＤ等の記録媒体へ記録する画像編集記録装置、当該画像編集記録装置と外部記録媒体から取り込んだ撮影に関する画像データをプリントするプリンタとを備えた写真処理装置、及び画像編集記録装置と外部記録媒体から取り込んだ画像データのプリント処理に対する注文を受け付けるプリント注文受付端末装置に関する。
【背景技術】
【０００２】
近年、写真店やＤＰ店では、フィルムから写真のプリント処理を行うサービスに加え、ＣＤ書込装置を設置して、小型メモリカード等の外部記録媒体に格納された撮影画像等の画像データをＣＤ等の記録媒体に記録し替えるサービスも提供している。ＣＤ等への記録サービスでは、店員が顧客から外部記録媒体を受け取り、ＣＤ書込装置にセットすることで、外部記録媒体に記録されている画像データがそのまま移し替えられる。
【０００３】
また、店舗によっては、顧客自身が操作可能な受付端末機が店頭に設置されており、この受付端末機が、店舗内のプリント装置やＣＤ書込装置に接続されている態様では、顧客の注文情報に従ってそのまま写真プリント処理やＣＤ書込処理が行われるようになっている。
【発明の開示】
【発明が解決しようとする課題】
【０００４】
最近、デジタルカメラやカメラ付き携帯電話機の普及に伴い、撮影画像が外部記録媒体に格納されることが多い。特に外部記録媒体が交換可能であることから、複数個乃至は複数種類の外部記録媒体が一度に店舗に持ち込まれて、プリント注文やＣＤへの移し替え注文が行われることがある。この場合、受付端末機は複数個又は複数種類の外部記憶媒体を順次、装置に装填して撮影画像を読み出し、装置内の記憶手段に一旦格納しているが、ＣＤへの移し替え処理は外部記憶媒体単位毎に行われているため、複数個又は複数種類の外部記憶媒体に記憶されている全部の画像を例えば時系列や被写体毎に並べ替えてＣＤに記憶させるという顧客の要望に応えるものではなかった。
【０００５】
本発明は、上記課題に鑑みてなされたもので、複数個又は複数種類（以下、複数という）の外部記憶媒体からのＣＤ等の記録媒体への画像データの書き替えを画像単位で効率的に順番設定できる画像編集記録装置を提供することを目的とするものである。また、複数の外部記録媒体から取り込んだ画像データを画像単位で順番設定してプリントする写真処理装置及びプリント処理に対する注文操作を受け付けるプリント注文受付端末装置を提供することを目的とするものである。
【課題を解決するための手段】
【０００６】
請求項１に係る画像編集記録装置は、外部記録媒体から取り込んだ撮影に関する画像データを記録媒体へ記録する画像編集記録装置において、画像データを記憶する記憶手段と、複数の外部記録媒体からそれぞれ複数の画像データの取り込みを行い、前記記憶手段に記憶する画像取込手段と、取り込んだ画像をモニタに表示する表示制御手段と、外部からの指示を受け付けて前記モニタに表示されている画像の処理順番を設定し、表示中の各画像と対応付けて視認可能に表示させる順番設定手段と、前記記憶手段に記憶されている画像データを前記順番設定手段によって設定された順番に従って、前記記録媒体に書き込ませる書込制御手段とを備えたことを特徴とする。
【０００７】
上記構成によれば、複数の外部記録媒体から取り込まれた複数の画像データは、モニタに表示される。注文者による操作部のマニュアル操作等によってモニタに表示されている画像の処理順番が入力されると、順番設定手段によって画像の処理順番の設定が行なわれ、設定された処理順番が表示中の各画像と対応付けて視認可能に表示される。そして、前記記憶手段に記憶されている画像データを設定された処理順番に従って記録媒体に書き込ませる書き込み制御が書込制御手段によって行なわれるため、画像データは注文者の要望する順番で記録媒体へ画像データの書き込まれる。このように複数の外部記憶媒体からの記録媒体への画像データの書き替えの際に、１つの外部記録媒体からの記録媒体への画像データの書き替えと同様に、画像データが画像単位で取り扱われることとなる。
【０００８】
請求項２に係る画像編集記録装置は、請求項１記載の画像編集記録装置において、前記表示制御手段は、各外部記録媒体から取り込んだ画像を外部記録媒体毎に整列させて前記モニタに表示させるものであることを特徴とする。
【０００９】
上記構成によれば、各外部記録媒体から取り込んだ画像は外部記録媒体毎に整列してモニタに表示されるため、外部記録媒媒体毎の画像の視認が可能となる。
【００１０】
請求項３に係る画像編集記録装置は、請求項１または２記載の画像編集記録装置において、前記モニタに表示中の画像を、複数の類に振り分ける指示を受け付けて、指定された類への振り分け処理を行なう分類受付手段を備え、前記表示制御手段は、前記分類受付手段によって振り分けられた画像を類毎にモニタに表示するものであることを特徴とする。
【００１１】
上記構成によれば、注文者による操作部のマニュアル操作等によってモニタに表示中の画像を複数の類に振り分ける指示が入力されると、分類受付手段によって画像の指定された類への振り分け処理が行なわれ、画像は振り分けられた類毎にモニタに表示される。従って、画像の処理順番を類毎に設定することが可能となる。これにより、例えば被写体毎にまとめて画像を記録媒体へ保存する際に、画像の処理順番の設定作業が容易となり、作業効率が向上する。
【００１２】
請求項４に係る画像編集記録装置は、請求項１〜３のいずれかに記載の画像編集装置において、前記表示制御手段は、モニタに表示されている各画像に対応して順番枠画像を表示するものであり、前記順番設定手段は、モニタに表示されている画像を指定することで、該画像に対応する順番枠画像に指定順の連続番号を視認可能に表示させるものであることを特徴とする。
【００１３】
上記構成によれば、モニタに表示されている各画像に対応して順番枠画像が表示され、注文者による操作部のマニュアル操作等によってモニタに表示されている画像の指定が行なわれると、順番設定手段によって該画像に対応する順番枠画像に指定順の連続番号が視認可能に表示されるため、画像の処理順番の設定作業が効率的に行なわれる。
【００１４】
請求項５に係る画像編集記録装置は、請求項１〜４のいずれかに記載の画像編集記録装置において、前記表示制御手段は、設定された順番に従ってモニタに表示される画像の並べ替えを行うものであることを特徴とする。
【００１５】
上記構成によれば、設定された順番に従ってモニタに表示される画像の並べ替えが行なわれるため、画像の処理順番の確認が容易となる。
【００１６】
請求項６に係る画像編集記録装置は、請求項１〜５のいずれかに記載の画像編集記録装置において、前記順番設定手段は、順番が未設定の画像に対して、設定済みの画像に付された順番の続きであって、前記モニタに表示された表示順に従って順番を付与するものであることを特徴とする。
【００１７】
上記構成によれば、順番が未設定の画像に対して、設定済みの画像に付された順番の続きであって、モニタに表示された表示順に従って順番が付与されるため、処理順番の変更の必要がない画像データに対する操作が省略され、作業効率の一層の向上が図られる。
【００１８】
請求項７に係る画像編集記録装置は、請求項１〜５のいずれかに記載の画像編集記録装置において、前記書込制御手段は、順番が未設定の画像に対する前記記録媒体への書き込み動作を禁止するものであることを特徴とする。
【００１９】
上記構成によれば、順番が未設定の画像に対して前記記録媒体への書き込み動作が禁止されるため、記録媒体への書き込みを希望する画像のみ設定された順番で記録媒体に書き込まれる。従って、画像の重要度や記録媒体の記憶容量に応じ、記録媒体に書き込む画像の選択が可能となる。
【００２０】
請求項８に係る写真処理装置は、外部記録媒体が挿脱可能な挿入部と外部から操作可能にされて各種の指示を行う操作部とを有する請求項１〜７のいずれかに記載の画像編集記録装置と、前記挿入部に装填された外部記録媒体から取り込んだ画像をプリントするプリンタとを備えたことを特徴とする。
【００２１】
上記構成によれば、画像編集記録装置の挿入部に外部記録媒体が挿入され、外部記録媒体の画像データの取り込みが行なわれる。また、操作部によってモニタに表示された画像の処理順番が設定され、取り込まれた画像のプリント処理が指示されると、ＣＤへの書き込みと同時にプリント処理が行なわれ、取り込まれた画像データが設定された順番でプリント処理される。これにより、プリントされた写真の整理が容易となる。
【００２２】
請求項９に係るプリント注文受付端末装置は、外部記録媒体が挿脱可能な挿入部と外部から操作可能な各種指示を行う操作部とを有する請求項１〜７のいずれかに記載の画像編集記録装置と、前記挿入部に装填された外部記録媒体から取り込んだ画像のプリントに対する注文を受け付けるプリント注文受付手段とを備えたことを特徴とする。
【００２３】
上記構成によれば、操作部によってモニタに表示された画像の順番の設定操作が行なわれると共に、取り込んだ画像のプリントに対する注文操作が行なわれると、プリント注文受付手段によるプリントに対する注文の受け付けが行なわれる。従って、注文者によるＣＤへの書き込み処理とプリント処理の操作指示が同時に行なわれ、作業効率のより一層の向上が図られる。
【発明の効果】
【００２４】
請求項１に係る画像編集記録装置によれば、複数の外部記憶媒体からの記録媒体への画像データの書き替えをする際に、画像単位で処理順番を設定することができ、注文者の要望する順番で画像データを記録媒体に書き込むことができる。
【００２５】
請求項２に係る画像編集記録装置によれば、複数の外部記録媒体から取り込んだ画像は外部記録媒体毎に整列してモニタに表示するので、外部記録媒媒体毎の画像の視認が可能となる。
【００２６】
請求項３に係る画像編集記録装置によれば、モニタに表示中の画像を複数の類に振り分ける指示が外部から入力されると、各類に含まれる画像を類毎にモニタに表示するので、画像の処理順番を類毎に設定することができる。
【００２７】
請求項４に係る画像編集記録装置によれば、外部から画像の指定を受け付け、該画像に対応する順番枠画像に指定順の連続番号を視認可能に付与するので、画像の処理順番の設定作業を効率的に行なうことができる。
【００２８】
請求項５に係る画像編集記録装置によれば、設定された順番に従ってモニタに表示される画像の並べ替えを行なうため、画像の処理順番を容易に確認できる。
【００２９】
請求項６に係る画像編集記録装置によれば、順番が未設定の画像に対して、設定済みの画像に付された順番の続きであって、モニタに表示された表示順に従って順番を付与するので、処理順番の変更の必要がない画像データに対する操作を省略することができ、作業効率の一層の向上を図ることができる。
【００３０】
請求項７に係る画像編集記録装置によれば、順番が未設定の画像に対する前記記録媒体への書き込み動作を禁止するので、記録媒体への書き込みを希望する画像のみ設定された順番で記録媒体に書き込むことができ、画像の重要度や記録媒体の記憶容量に応じ、記録媒体に書き込む画像の選択が可能となる。
【００３１】
請求項８に係る写真処理装置によれば、ＣＤへの書き込み処理と同時に取り込まれた画像データを設定された順番でプリント処理を行なうことができ、プリントされた写真の整理が容易となる。
【００３２】
請求項９に係るプリント注文受付端末装置によれば、ＣＤへの書き込み処理とプリント処理の操作指示を同時に行なうことができ、作業効率をより一層向上させることができる。
【発明を実施するための最良の形態】
【００３３】
図１は本発明に係る写真処理装置の外観斜視図の一例を示すものである。写真処理装置は、受付装置１０、ＣＤ処理装置２０及びデジタルプリンタ３０を備える。受付装置１０は、読み込んだ画像やプリント処理を行う際の各種指示を入力するための操作画面などを表示するためのモニタ１１と、外部からの操作を受け付ける図略のキーボード等からなる操作部１２と、複数種類のメディア（外部記録媒体）が挿入、取り出し可能に構成され、各メディアに格納される画像データの取り込みを行う画像取込部１３とを備える。画像取込部１３は、例えばＣＤ−Ｒ／ＲＷ（CD  Ｒecordable／Ｒewritable），ＤＶＤ(Ｄigital Ｖersatile Ｄisk)等のディスク状記録媒体に格納された画像データを取り込む取込部１３ａと、ディジタルカメラで撮影された画像データを格納するスマートメディア（登録商標）等の小型メモリーカードに格納された画像データを取り込む取込部１３ｂと，携帯電話専用のメモリースティックに格納された画像データを取り込む取込部１３ｃとを備える。
【００３４】
受付装置１０は、操作部１２を介して注文情報を受け付けると共に、画像取込部１３によりメディアに格納された画像データを読み出して、後述するＨＤＤ１６に記憶し、必要に応じてＣＤ処理装置２０及びデジタルプリンタ３０等に対して送信するものである。
【００３５】
ＣＤ処理装置２０は、筐体の手前右側に配置された書き込み前のＣＤ−Ｒ又はＣＤ−ＲＷ（以下これらを総称してＣＤという）をストックするストック部２１と、筐体の手前左側に配置され、書き込み前のＣＤに画像データの書き込みを行うヘッドを有するＣＤライタ２２と、書き込み前のＣＤをストック部２１からＣＤライタ２２に移送するべく真空吸着式及び左右スライド構造を有する移送部２３と、ＣＤ処理装置２０の全体の動作を制御するマイクロコンピュータ、メモリ等からなる制御部（図示省略）とを備えている。
【００３６】
デジタルプリンタ３０は、それぞれ幅の異なる複数種類（例えば２種類）の長尺印画紙を巻回収納したマガジン３１，３２と、該マガジン３１，３２から引き出した印画紙を所定サイズに切断し、切断された印画紙片上に受付装置１０から送信された画像（画像データ）を露光する露光部（図示省略）と、露光された印画紙片を現像、漂白、定着及び安定化処理する現像処理部（図示省略）と、現像された印画紙片を乾燥する乾燥部３３と、乾燥後の印画紙片をオーダ単位に仕分けて排出するソータ３４と、装置全体の動作を制御するマイクロコンピュータ、メモリ等からなる制御部（図示省略）とを備える。  図２は受付装置１０の制御部の構成を示すブロック図である。制御部１５は、受付装置１０全体の動作を制御するものであり、図１に示すモニタ１１、操作部１２及び画像取込部１３と接続されている。また、制御部１５には、通信部１４が接続されている。通信部１４は、画像取込部１３で取り込まれた画像データやＣＤ処理装置２０又はデジタルプリンタ３０の処理を制御するための制御データをＣＤ処理装置２０又はデジタルプリンタ３０に出力するものである。制御部１５は、ＣＰＵ（Central Processing Unit）（図示省略）と、処理途中のデータを一時的に格納するＲＡＭ（Random Access Memory）（図示省略）と、ＣＤ処理装置２０及びデジタルプリンタ３０の各種動作を制御するプログラム、各種画像を構成する画面データ等を予め記憶するＲＯＭ（Read Only Memory）（図示省略）とを備える。
【００３７】
ＨＤＤ１６（記憶手段に相当する）は、メディアから取り込まれた画像データを格納する取込画像記憶部１６１と、取り込まれた画像データの識別情報、画像データのサイズを特定するサイズ情報、画像データを格納するメディアの種類を特定するメディア種類情報等を含む画像特性情報を記憶すると共に、メディアから取り込まれた複数の画像データの処理順番を示す処理順番情報、及び複数の画像データを複数の類に分類した場合に各画像データに振り分けられた類を示す分類情報を各画像データ毎に記憶する画像特性情報記憶部１６２とを備える。
【００３８】
制御部１５は、受付処理部１５１、画像取込制御部１５２、表示制御部１５３、編集部１５４、書き込み制御部１５５及びプリント制御部１５６を備える。
【００３９】
受付処理部１５１は、操作部１２を介して入力される各種指示に対する受付処理を行うものである。画像取込制御部１５２は、メディアの種類に応じた画像データの取扱用のプログラムを稼働させ、当該プログラムに従って画像取込部１３を介して取り込まれる画像データを取込画像記憶部１６１へ書き込ませると共に、画像データのサイズ情報やメディア種類情報等を含む画像特性情報を取り込み画像データと関連付けて画像特性情報記憶部１６２に書き込ませるものである。
【００４０】
画像取込制御部１５２は、メディアの装填の有無を取込部１３ａ〜１３ｃ毎に判断し、複数のメディアが装填されている場合、各メディアからの画像データの取り込み処理を当該取込部１３ａ〜１３ｃに順次行なわせるものである。なお、複数のメディアからの画像データの取り込み方法は、これに限定されず、画像取込制御部１５２は、画像取り込み対象のメディアを指定可能なメディア設定画面（図示省略）をモニタ１３に表示させ、指定されたメディアからの画像データの取り込み処理が行なわれる度に、他のメディアの有無を確認するための確認画面をモニタ１１に表示させ、次のメディアが指定された場合、画像取込部１３によって指定されたメディアから画像データを取り込ませるようにしてもよい。
【００４１】
表示制御部１５３（表示制御手段に相当する）は、ＣＤへの書き込み処理又はプリント処理を行う際の各種指示を促す入力画面（図３〜図９参照）や取り込んだ画像をモニタ１１上に表示するものである。表示制御部１５３は、後述する分類処理部１５８及び順番設定処理部１５７の操作指示に基づき、画像の並び替え表示も行なう。
【００４２】
編集部１５４は、操作部１２を介してモニタ１１に表示されている画像に対する編集指示を受け付けて、編集処理を行なうものである。分類処理部１５８は、操作部１２を介してモニタ１１に表示されている画像を複数の類、例えば被写体毎に画像を振り分ける分類指示が入力されると、各画像に振り分けられた類を示す分類情報を取り込み画像データと関連付けて画像特性情報記憶部１６２に書き込ませるものである。順番設定処理部１５７は、操作部１２を介してモニタ１１に表示されている画像の分類指示が入力されると、振り分けられた類毎に分類指定が行なわれた順番を処理順番情報として付与し、当該処理順番情報を取り込み画像データと関連付けて画像特性情報記憶部１６２に書き込ませるものである。これにより、表示制御部１５３は、画像特性情報記憶部１６２に記憶されている分類情報及び処理順番情報に基づき、取込画像記憶部１６１に記憶されている画像データを振り分けられた類毎に処理順番情報に従った順番でモニタ１１に一覧表示する。
【００４３】
また、順番設定処理部１５７は、モニタ１１に表示される、振り分けられた類毎に画像の処理順番を設定することが可能な後述する分類画像処理画面において、画像の処理順番が操作部１２を介して入力されると、当該処理番号を表示中の各画像と対応付けて視認可能に表示させると共に、画像特性情報記憶部１６２に記憶されている当該画像の処理順番情報を入力された処理順番情報で更新するものである。また、順番設定処理部１５７は、処理順番が未設定の画像に対して、設定済みの画像に付された順番の続きであって、モニタ１１に表示された表示順、即ち、画像特性情報記憶部１６２に記憶されている当該画像の処理順番情報に従って処理順番情報を付与し、更新するものである。
【００４４】
書き込み制御部１５５（書き込み制御手段に相当する）は、取込画像記憶部１６１に記憶されている画像データ及び当該画像データを処理順番情報に従って、ＣＤに書き込ませる書き込み指示信号を通信部１４を介してＣＤ処理装置２０に出力するものである。なお、書き込み制御部１５５は、受付装置１０に代えてＣＤ処理装置２０側に設ける態様としてもよい。
【００４５】
プリント制御部１５６は、取込画像記憶部１６１に記憶されている画像データ及び当該画像データを処理順番情報に従って、プリント処理させるプリント指示信号を通信部１４を介してデジタルプリンタ３０に出力するものである。なお、プリント制御部１５６は、受付装置１０に代えてデジタルプリンタ３０側に設ける態様としてもよい。
【００４６】
次に、図３乃至図９を用いて受付装置１０でＣＤへの書き込み注文を行う際にモニタ１１に表示される画面図について説明する。図３は、モニタ１１に表示されるオーダ画面Ｇ１の一例を示す画面図である。オーダ画面Ｇ１には、画像データのプリントサイズ及びプリント部数等のプリント条件を入力するためのプリント条件入力部２０１と、画像データの出力サイズ及びフォーマット等の書き込み条件を入力するための書き込み条件入力部２０２と、設定内容を確定するためのスタートキー２０３とが表示されている。
【００４７】
図４は、オーダ画面Ｇ１でスタートキー２０３が選択されたときのモニタ１１に表示される分類指定画面Ｇ２の一例を示す画面図である。分類指定画面Ｇ２には、画面の一部適所、例えば、画面中央部の上部にスマートメディアから取り込まれた画像データの縮小画像を閲覧可能な画像閲覧部３０１、画面の他の一部適所、例えば、画面中央部の下部に携帯電話専用のメモリースティックから取り込まれた画像データの縮小画像を閲覧可能な画像閲覧部３０２が表示されている。画像閲覧部３０１，３０２の上部には、それぞれ画像閲覧部３０１，３０２を左右にスクロールさせ、画像閲覧部３０１，３０２に表示される画像データを切り替えるスクロール部３０３，３０４が表示されている。画面右部に画像閲覧部３０１，３０２に表示されている画像を、例えば被写体毎に複数の類に振り分ける分類指定を入力するための分類キーとして「被写体１」キー３０５ａ〜「被写体５」キー３０５ｅが表示され、画面下部に画像の分類数を追加するための追加キー３０６と、既に行なわれた画像の分類指定をキャンセルするためのキャンセルキー３０７と、画像の分類指定を確定し、次の処理画面に移行するための「次へ」キー３０８とが表示されている。
【００４８】
操作部１２により「被写体１」キー３０５ａ〜「被写体５」キー３０５ｅの１つがクリックされると、クリックされたキーの表示域は選択されたことを示すべく表示形態、例えば表示域の色が白色から灰色に変わる。さらにこの状態で画像閲覧部３０１，３０２に表示される画像の中から所望の画像、例えば、同一の被写体の画像を順次クリックすることによって、分類処理部１５８によって画像が被写体毎に分類される。また、追加キー３０６のクリックによって、「被写体１」キー３０５ａ〜「被写体５」キー３０５ｅの下方に新たに作成された「被写体」キーが順次追加される。
【００４９】
図５は、分類指定画面Ｇ２の「次へ」キー３０８が選択された場合に、モニタ１１に表示される分類画像処理画面Ｇ３の一例を示す図である。分類画像処理画面Ｇ３には、その画面中央部に「被写体１」に指定された画像の縮小画像Ｐ１〜Ｐ６を含む画像閲覧部４０３ａ〜４０３ｆが表示され、各画像閲覧部４０３ａ〜４０３ｆに対応させてそれぞれの下方に処理順番情報を入力するための順番枠４０４ａ〜４０４ｆが表示されている。また、画面右部に画像閲覧部４０３ａ〜４０３ｆへ表示させる被写体を指定するための被写体指定キーが分類指定画面Ｇ２で振り分けられた被写体の数分表示され、ここでは、被写体指定キーとして「被写体１」キー４０１及び「被写体２」キー４０２が表示されている。
【００５０】
画面下部に順番枠４０４ａ〜４０４ｆに入力された処理順番情報に従って、画像閲覧部４０３ａ〜４０３ｆに表示される画像の並べ替えを行なうための並び替えキー４０５と、順番枠４０４ａ〜４０４ｆに入力された処理順番情報の設定を登録するための登録キー４０６と、順番枠４０４ａ〜４０４ｆに入力された処理順番情報の設定を解除するためのキャンセルキー４０７と、処理順番情報に従って画像データをＣＤへ書き込ませる指示を入力するための書き込みキー４０８と、処理順番情報に従って画像データをＣＤへ書き込ませる書き込み指示を入力すると共に処理順番情報に従ってプリント処理させるプリント指示を入力するための同時処理キー４０９とが表示される。
【００５１】
処理順番情報の設定は、操作部１２によって画像閲覧部４０３ａ〜４０３ｆに表示される画像Ａ〜Ｆを所望の順番で指定することによって行なわれ、指定された画像Ａ〜Ｆに対応する順番枠４０４ａ〜４０４ｆには、順番設定処理部１５７によって図６に示すように指定順の連続番号が付与される。処理順番情報が設定された後で並べ替えキー４０５が押下されると、図７に示すように設定された処理順番情報に従って画像Ａ〜Ｆの並べ替えが行なわれ、処理順番情報に対応する配置、例えば上下２段に分かれた画像閲覧部４０３ａ〜４０３ｆに上段の一番左の画像閲覧部４０３ａから順番に画像が配置される。
【００５２】
図８及び図９は、処理順番情報の他の設定処理を説明するための図であり、例えば、分類画像処理画面Ｇ３において画像Ｃ，Ｄ，Ｅの順で画像がクリックされると、図８に示すように、各画像Ｃ，Ｄ，Ｅの順番枠４０４ｃ〜４０４ｅのそれぞれに処理順番情報「１」，「２」，「３」が付与される。画像Ａ，Ｂ，Ｆに処理順番情報が未設定の状態で並べ替えキー４０５がクリックされると、画像Ｃ，Ｄ，Ｅは処理順番情報に従って並び替えられ、画像閲覧部４０３ａ〜４０３ｃに表示され、一方、画像Ａ，Ｂ，Ｆは、画像Ｃ，Ｄ，Ｅの続きであって、最初にモニタ１１に表示された表示順、即ち、画像閲覧部４０３ｄ〜４０３ｆに表示される。
【００５３】
図１０及び図１１は、受付装置１０によりＣＤへの書き込み処理の注文操作を受け付けた際の制御部１５による処理の一例を説明するフローチャートである。
【００５４】
まず、オーダ画面Ｇ１がモニタ１１に表示され（ステップＳ１）、書き込み条件入力部２０２で画像データの出力サイズ及びフォーマット等の書き込み条件が設定されると共に、必要に応じてプリント条件入力部２０１で画像データのプリントサイズ及びプリント部数等のプリント条件が設定される（ステップＳ３）。
【００５５】
次いで、オーダ画面Ｇ１においてスタートキー２０３が押下されたか否かが判断され（ステップＳ５）、スタートキー２０３が押下された場合は（ステップＳ５でＹｅｓ）、各取込部１３ａ〜１３ｃによって順番にメディアの装填の有無が判断され、メディアが装填されている場合、当該メディアに格納される画像データが取り込まれる（ステップＳ７）。ここでは、２つのメディア、例えばスマートメディア及びメモリースティックのそれぞれから取込部１３ｂ、１３ｃによる画像データの取り込みが行なわれる。そして、画像取込制御部１５２によって、取り込まれた画像データが取込画像記憶部１６１に記憶されると共に、取り込まれた画像データのサイズ情報、メディアの種類を特定するメディア種類情報を含む画像特性情報が画像特性情報記憶部１６２に記憶される。また、取り込まれた各メディアの画像データがメディア毎にモニタ１１に表示される（ステップＳ９）。
【００５６】
次いで、分類指定画面Ｇ２において画像閲覧部３０１，３０２に表示される各画像が「被写体１」キー３０５ａ〜「被写体５」キー３０５ｅに振り分けられることによって、画像が分類指定されたか否かが受付処理部１５１によって判断される（ステップＳ１１）。画像が分類指定された場合（ステップＳ１１でＹｅｓ）、分類処理部１５８によって指定された「被写体１」キー３０５ａ〜「被写体５」キー３０５ｅに対応する分類情報が付与されると共に、順番設定処理部１５７によって被写体毎に分類指定された順番に処理順番情報が付与され、分類情報及び処理順番情報が画像データに関連付けられて画像特性情報記憶部１６２に記憶される（ステップＳ１３）。ここで、画像閲覧部３０１，３０２に表示されている画像データは、「被写体１」，「被写体２」に振り分けられる。なお、ここで、モニタ１１に表示されている画像の中で類指定が行なわれていない画像は「被写体３」に振り分けられたものとして取り扱ってもよい。
【００５７】
続いて、受付処理部１５１により「次へ」キー３０８の選択の有無が判断され（ステップＳ１５）、「次へ」キー３０８が選択された場合（ステップＳ１５でＹｅｓ）、「被写体１」に分類された画像Ｐ１〜Ｐ６が付与された処理番号に従って配列された分類画像処理画面Ｇ３がモニタ１１に表示される（ステップＳ１７）。さらに、受付処理部１５１により画像の指定が行なわれたか否かが判断され、画像の指定が行なわれた場合（ステップＳ１９でＹｅｓ）、順番設定処理部１５７によって当該画像に対応する順番枠４０４ａ〜４０４ｆに画像の指定順の連続番号が付与されると共に、画像特性情報記憶部１６２に記憶されている画像毎の処理順番情報が順番設定処理部１５７によって付与された処理順番情報で更新される（ステップＳ２１）。ここで、モニタ１１に表示された画像Ｐ１〜Ｐ６は、画像Ｂ，Ｄ，Ｆ，Ａ，Ｅ，Ｃの順番で指定され、それぞれの画像の順番枠４０４ａ〜４０４ｆに指定順に従って処理順番情報が付与される。
【００５８】
更に受付処理部１５１により並べ替えキー４０５の選択の有無が判断され（ステップＳ２３）、並べ替えキー４０５が選択された場合（ステップＳ２３でＹｅｓ）、指定が行なわれていない未指定画像の有無が判断され（ステップＳ２５）、未指定画像がある場合は、順番設定処理部１５７によって未指定画像に対する処理番号情報として、指定済みの画像に付された処理順番の続きであって、モニタ１１に設定された表示順に従う順番が付与され、画像特性情報記憶部１６２に記憶されている未指定画像に対する処理番号情報が更新される（ステップＳ２７）。そして、処理順番情報に従ってモニタ１１に表示される画像の並べ替えが表示制御部１５３によって行なわれる（ステップＳ２９）。なお、ここでは、順番設定処理部１５７は、未指定画像に対し新たな処理順番を設定しているが、これに限定されず、未指定画像に対しＣＤへの書き込みを禁止する禁止情報を付与し、書き込み制御部１５５による未指定画像の画像データのＣＤ処理装置２０への出力を禁止するようにしてもよい。これにより、画像の重要度やＣＤの記憶容量に応じ、ＣＤに書き込む画像の選択を効率的に行なうことができる。
【００５９】
次いで、ステップＳ３１で他の被写体を表示させるための被写体指示キー３０５、ここでは「被写体２」キー３０５ｂが選択された場合、取込画像記憶部１６１に記憶されている画像データの中から分類情報によって「被写体２」に分類指定された画像データが特定され、「被写体２」の画像データが処理順番情報で配列された分類画像処理画面がモニタ１１に表示される（ステップＳ３３）。そして、ステップＳ１９〜２９の処理によって、「被写体２」の画像データの処理順番の変更及び画像の並べ替え処理が行われる。
【００６０】
ステップＳ３１で書き込みキー４０８が選択されると、書き込み制御部１５５によって「被写体１」，「被写体２」の順でそれぞれの画像データが処理順番情報に従ってＣＤに書き込まれるべくＣＤ処理装置２０の書き込み制御が行なわれる（ステップＳ３５）。同時処理キー４０９が選択された場合は、書き込み制御部１５５によって「被写体１」，「被写体２」の順でそれぞれの画像データが処理順番情報に従ってＣＤに書き込まれるべくＣＤ処理装置２０の書き込み制御が行なわれる（ステップＳ３７）と共に、プリント制御部１５６によって「被写体１」，「被写体２」の順でそれぞれの画像データが処理順番情報に従ってプリント処理が行なわれるべくデジタルプリンタ３０のプリント制御が行なわれる（ステップＳ３９）。
【００６１】
このように本実施形態では、各種メディアから取り込まれた画像データを設定された処理順番に従ってＣＤへ書き込むための制御が行なわれるため、注文者の要望順で画像データをＣＤに書き込むことができ、ＣＤから画像を再生させた際の画像検索や画像の選別が容易となる。また、画像データを被写体毎に分類し、被写体毎に画像データの処理順番を設定することができるため、被写体毎に効率良く処理順番を設定することができる。
【００６２】
しかも、順番が未設定の画像に対して設定済みの画像に付された順番の続きであって、モニタ１１に表示された表示順に従う順番が付与されるため、処理順番の変更の必要がない画像データに対する操作を省略することができ、作業効率の一層の向上を図ることができる。
【００６３】
そして、設定された処理順番に従ってデジタル画像が記録されたＣＤ等は、例えば，スライドショー等の電子アルバムの再生順番に対応して有効に活用される。しかし、本発明の内容は、それだけに限るものではない。ＣＤ等のデータ記録は既に順序立てて行なわれており、それを再生するインデックスの画面では、整列された形でインデックス画像等が表示されている。この整列順序に従って例えば旅行で撮影した画像を旅行の経過順に記録していくことで、旅行で訪れた同一場所での撮影画像が、たとえ複数のデジタルカメラで撮影されたものであっても、本発明の画像編集記録装置を用いることで、旅行の経過に従ったディスク状記録媒体へのデジタル記憶を達成することができる。
【００６４】
さらに、プリントの同時処理が指示されると、デジタルプリンタ３０によって設定された処理順番で画像データがプリントされ、写真が出力されるため、写真の整理が容易となる。
【００６５】
本実施形態では、メディアから取り込まれた画像データを被写体毎に分類しているが、これに限定されず、注文者が気に入っている画像とそうでない画像というように用途や目的に応じその他の分類方法によって画像を分類することが可能である。
【００６６】
本実施形態では、画像データをＣＤ−Ｒ／ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【図面の簡単な説明】
【００６７】
【図１】本発明に係る写真処理装置の外観斜視図の一例である。
【図２】受付装置の制御部の構成を示すブロック図である。
【図３】モニタに表示されるオーダ画面の一例を示す画面図である。
【図４】モニタに表示される分類指定画面の一例を示す画面図である。
【図５】モニタに表示される分類画像処理画面の一例を示す画面図である。
【図６】処理順番情報が入力された分類画像処理画面の一例を示す画面図である。
【図７】処理順番情報に従って画像の並べ替えが行なわれた分類画像処理画面の一例を示す画面図である。
【図８】処理順番情報が入力された分類画像処理画面の他の例を示す画面図である。
【図９】処理順番情報に従って画像の並べ替えが行なわれた分類画像処理画面の他の例を示す画面図である。
【図１０】受付装置によりＣＤへの書き込み処理の注文操作を受け付けた際の制御部による処理の一例を説明するフローチャートである。
【図１１】受付装置によりＣＤへの書き込み処理の注文操作を受け付けた際の制御部による処理の一例を説明するフローチャートである。
【符号の説明】
【００６８】
１０  受付装置
２０  ＣＤ処理装置
３０  デジタルプリンタ
１１  モニタ
１２  操作部
１３  画像取込部
１４  通信部
１５  制御部
１５１  受付処理部
１５２  画像取込制御部
１５３  表示制御部
１５４  編集部
１５５  書き込み制御部
１５６  プリント制御部
１５７  順番設定処理部
１５８  分類処理部
１６  ＨＤＤ
１６１  取込画像記憶部
１６２  画像特性情報記憶部
【図１】
2006053333.tif 000003
【図２】
2006053333.tif 000004
【図３】
2006053333.tif 000005
【図４】
2006053333.tif 000006
【図５】
2006053333.tif 000007
【図６】
2006053333.tif 000008
【図７】
2006053333.tif 000009
【図８】
2006053333.tif 000010
【図９】
2006053333.tif 000011
【図１０】
2006053333.tif 000012
【図１１】
2006053333.tif 000013